(57)【要約】【課題】電圧の落ち込みによるチラツキを十分に防止することのできる照明装置を提供する。【解決手段】第１,第２発光体１１,１２を備えた照明装置１０において、第１,第２コンデンサＣ１,Ｃ１１と、第１,第２コンデンサＣ１,Ｃ１１を充電させる第１,第２充電回路２０,３０と、第１,第２コンデンサＣ１,Ｃ１１を放電させて第１,第２発光体１１,１２に電流を流す第１,第２放電回路４０,５０とを備え、第１,第２放電回路４０,５０は、交流電圧のゼロクロス点の前後の間で第１,第２発光体１１,１２に電流を流すようにした。【選択図】図１
2016152097.tif 000002
【特許請求の範囲】
【請求項１】
交流電圧の正の期間で発光する第１発光体と、交流電圧の負の期間で発光する第２発光体とを備えた照明装置において、
第１,第２発光体が発光している期間から発光しない期間へ移行したとき、第１,第２発光体の発光を所定時間持続させる発光持続手段を設けたことを特徴とする照明装置。
【請求項２】
前記発光持続手段は、交流電圧の正の期間で充電を行うとともに、正の期間から負の期間へ移行する前に放電して第１発光体の発光を所定時間持続させる第１充放電回路と、交流電圧の負の期間で充電を行うとともに負の期間から正の期間へ移行する前に放電して第２発光体の発光を所定時間持続させる第２充放電回路とを備えていることを特徴とする請求項１に記載の照明装置。
【請求項３】
第１充放電回路は、第１コンデンサと、前記交流電圧の正の期間で第１コンデンサを充電させる第１充電回路と、第１コンデンサを放電させて第１発光体に電流を流す第１放電回路とを有し、
第２充放電回路は、第２コンデンサと、前記交流電圧の負の期間で第２コンデンサを充電させる第２充電回路と、第２コンデンサを放電させて第２発光体に電流を流す第２放電回路とを有し、
第１放電回路は、前記交流電圧が正の期間から負の期間に移行する際の交流電圧のゼロクロス点の前後の間で第１発光体に電流を流して該第１発光体の発光を所定時間持続させ、
第２放電回路は、前記交流電圧が負の期間から正の期間に移行する際の交流電圧のゼロクロス点の前後の間で第２発光体に電流を流して該第２発光体の発光を所定時間持続させることを特徴とする請求項２に記載の照明装置。
【請求項４】
第１,第２発光体は第１,第２発光ダイオードであり、
第１発光ダイオードのアノードに接続されて、交流電圧の正の期間で第１発光ダイオードに電流を流す第１定電流回路と、
第２発光ダイオードのアノードに接続されて、交流電圧の負の期間で第２発光ダイオードに電流を流す第２定電流回路とを備え、
第１充電回路は第１コンデンサのプラス側端子に直列接続され、
第２充電回路は第２コンデンサのプラス側端子に直列接続され、
第１放電回路は、第１コンデンサのプラス側端子と第１発光ダイオードのアノードとの間に接続され、
第２放電回路は、第２コンデンサのプラス側端子と第２発光ダイオードのアノードとの間に接続されていることを特徴とする請求項３に記載の照明装置。
【請求項５】
第１,第２発光ダイオードは、１つまたは直列接続された複数の発光ダイオードであり、
第１,第２充電回路は、直列接続されたダイオードと抵抗とから構成され、
第１,第２放電回路は、直列接続されたダイオードと抵抗とから構成されていることを特徴とする請求項３または請求項４に記載の照明装置。
【発明の詳細な説明】
【技術分野】
【０００１】
この発明は、照明装置に関するものである。
【背景技術】
【０００２】
従来から、発光ダイオードを備えた照明装置が知られている（特許文献１参照）。
【０００３】
また、一般のＬＥＤ照明においては、照明のチラツキを防止するために、汎用の制御ＩＣや定電流回路などを用いている。
【発明の概要】
【発明が解決しようとする課題】
【０００４】
しかし、いずれの照明装置も、商用電源の交流波形に依存されるため、周波毎に発生する電圧の落ち込みによるチラツキを十分に防止することができないという問題があった。
【０００５】
この発明の目的は、電圧の落ち込みによるチラツキを十分に防止することのできる照明装置を提供することにある。
【課題を解決するための手段】
【０００６】
請求項１の発明は、交流電圧の正の期間で発光する第１発光体と、交流電圧の負の期間で発光する第２発光体とを備えた照明装置において、
第１,第２発光体が発光している期間から発光しない期間へ移行したとき、第１,第２発光体の発光を所定時間持続させる発光持続手段を設けたことを特徴とする。
【発明の効果】
【０００７】
この発明によれば、電圧の落ち込みによるチラツキを十分に防止することができる。
【図面の簡単な説明】
【０００８】
【図１】この発明に係る照明装置の実施例の構成を示した回路図である。
【図２】図１に示す回路図の発光ダイオードに印加する電圧と、交流電圧を示したグラフである。
【発明を実施するための形態】
【０００９】
以下、この発明に係る照明装置の実施の形態である実施例を図面に基づいて説明する。
【実施例】
【００１０】
［第１実施例］
図１は、照明装置１０の回路を示したものである。この照明装置１０は、第１,第２発光体１１,１２と、発光持続手段１００とを備えている。発光持続手段１００は、第１,第２発光体１１,１２が発光している期間から発光しない期間へ移行した際に、第１,第２発光体１１,１２の発光を所定時間持続させるものである。
【００１１】
発光持続手段１００は、充電用の第１,第２コンデンサＣ１,Ｃ１１と、第１,第２充電回路２０,３０と、第１,第２放電回路４０,５０と、第１,第２定電流回路６０,７０とを備えている。そして、第１コンデンサＣ１と第１充電回路２０と第１放電回路４０とで第１充放電回路が構成され、第２コンデンサＣ１１と第２充電回路３０と第２放電回路５０とで第２充放電回路が構成される。
［第１発光体］
第１発光体１１は、直列接続された複数の第１発光ダイオードＬＥＤＸ１〜ＬＥＤＸＸから構成され、第１発光ダイオードＬＥＤＸＸのカソードが交流電源Ｅの一方の端子に接続されている。この第１発光ダイオードＬＥＤＸ１のアノードは第１定電流回路６０を介して交流電源Ｅの他方の端子に接続されている。
［第２発光体］
第２発光体１２は、直列接続された複数の第２発光ダイオードＬＥＤＹ１〜ＬＥＤＹＹから構成され、第２発光ダイオードＬＥＤＹＹのカソードが交流電源Ｅの他方の端子に接続されている。この第２発光ダイオードＬＥＤＹ１のアノードは第２定電流回路７０を介して交流電源Ｅの一方の端子に接続されている。
［第１コンデンサ］
第１コンデンサＣ１は、電解コンデンサ、電気二重層コンデンサ、固体コンデンサ、フィルムコンデンサ、或いは蓄電池であり、マイナス側端子が交流電源Ｅの一方の端子に接続されている。そのプラス側端子が第１充電回路２０を介して交流電源Ｅの他方の端子に接続されている。
［第２コンデンサ］
第２コンデンサＣ１１は、電解コンデンサ、電気二重層コンデンサ、固体コンデンサ、フィルムコンデンサ、或いは蓄電池であり、マイナス側端子が交流電源Ｅの他方の端子に接続されている。そのプラス側端子が第２充電回路３０を介して交流電源Ｅの一方の端子に接続されている。
［第１充電回路］
第１充電回路２０は、ダイオード（第１充電ダイオード）Ｄ１と抵抗（第１充電抵抗）Ｒ２の直列回路で構成され、ダイオードＤ１のアノードが交流電源Ｅの他方の端子に接続され、ダイオードＤ１のカソードが抵抗Ｒ２の一方の端子に接続されている。抵抗Ｒ２の他方の端子は第１コンデンサＣ１のプラス側端子に接続されている。
［第２充電回路］
第２充電回路３０は、ダイオード（第２充電ダイオード）Ｄ１１と抵抗（第１充電抵抗）Ｒ１２の直列回路で構成されている。ダイオードＤ１１のアノードは交流電源Ｅの一方の端子に接続され、ダイオードＤ１１のカソードは抵抗Ｒ１２の一方の端子に接続されている。抵抗Ｒ１２の他方の端子は第２コンデンサＣ１１のプラス側端子に接続されている。
［第１放電回路］
第１放電回路４０は、ダイオード（第１放電ダイオード）Ｄ２と抵抗（第１放電抵抗）Ｒ３の直列回路で構成され、ダイオードＤ２のカソードが第１発光ダイオードＬＥＤＸ１のアノードに接続されている。ダイオードＤ２のアノードは抵抗Ｒ３の一方の端子に接続され、抵抗Ｒ３の他方の端子が第１コンデンサＣ１のプラス側端子に接続されている。
［第２放電回路］
第２放電回路５０は、ダイオード（第２放電ダイオード）Ｄ１２と抵抗（第１放電抵抗）Ｒ１３の直列回路で構成され、ダイオードＤ１２のカソードが第２発光ダイオードＬＥＤＹ１のアノードに接続されている。ダイオードＤ１２のアノードは抵抗Ｒ１３の一方の端子に接続され、抵抗Ｒ１３の他方の端子が第２コンデンサＣ１１のプラス側端子に接続されている。
［第１定電流回路］
第１定電流回路６０は、ダイオードＤ３と抵抗Ｒ１の直列回路、或いは半導体などでモジュール可された定電流回路で構成され、ダイオードＤ３のカソードが第１発光ダイオードＬＥＤＸ１のアノードに接続されている。ダイオードＤ３のアノードは抵抗Ｒ１の一方の端子に接続され、抵抗Ｒ１の他方の端子が交流電源Ｅの他方の端子に接続されている。
［第２定電流回路］
第２定電流回路７０は、ダイオードＤ１３と抵抗Ｒ１１の直列回路、或いは半導体などでモジュール可された定電流回路で構成され、ダイオードＤ１３のカソードが第２発光ダイオードＬＥＤＹ１のアノードに接続されている。ダイオードＤ１３のアノードは抵抗Ｒ１１の一方の端子に接続され、抵抗Ｒ１１の他方の端子が交流電源Ｅの一方の端子に接続されている。
［動  作］
次に、上記のように構成される照明装置１０の動作について、図２に示すグラフを参照しながら説明する。
【００１２】
図２の（Ａ）に示すように、時点ｔ１から時点ｔ２の期間では、交流電源Ｅの交流電圧の電圧が上昇していく。この上昇の期間では、第１定電流回路６０のダイオードＤ３により、第１発光体１１の第１発光ダイオードＬＥＤＸ１〜ＬＥＤＸＸに電流が流れていき、第１発光ダイオードＬＥＤＸ１〜ＬＥＤＸＸが発光していく。
【００１３】
また、上昇の期間（ｔ１〜ｔ２）では、第１充電回路２０のダイオードＤ１により第１コンデンサＣ１が充電されていき、この充電とともに第１コンデンサＣ１のプラス端子の電圧が上昇していく。
【００１４】
交流電圧が時点ｔ２から減少していき、この減少により、第１発光体１１の第１発光ダイオードＬＥＤＸ１のアノードの電圧が第１コンデンサＣ１のプラス端子の電圧より低下すると、第１放電回路４０が動作を開始する。すなわち、第１放電回路４０のダイオードＤ２により、第１コンデンサＣ１に充電された電流が放電されて第１発光体１１の第１発光ダイオードＬＥＤＸ１〜ＬＥＤＸＸへ流れていく。
【００１５】
第１コンデンサＣ１のプラス端子の電圧は、図２の（Ａ）の実線で示すように、その放電とともに減少していく。この減少度合いは、第１放電回路４０の抵抗Ｒ３と第１コンデンサＣ１の容量とによる時定数で決定され、交流電圧がゼロになっても高い電圧となるように予め設定しておく。これにより、交流電源Ｅの交流電圧がゼロ（ゼロクロス点）になっても第１発光体１１の第１発光ダイオードＬＥＤＸ１〜ＬＥＤＸＸの発光は持続されることになる。
【００１６】
すなわち、時点ｔ３で交流電源Ｅの交流電圧がゼロ(ゼロクロス点)になるが、第１発光ダイオードＬＥＤＸ１〜ＬＥＤＸＸは発光し続ける。また、時点ｔ３〜点ｔ５の期間では交流電圧は負になるが、この期間（ｔ３〜ｔ５）の間、第１放電回路４０により第１コンデンサＣ１が放電し続け、第１発光ダイオードＬＥＤＸ１〜ＬＥＤＸＸに電流が流れ続ける。このため、その期間中第１発光ダイオードＬＥＤＸ１〜ＬＥＤＸＸは発光し続ける。すなわち、第１発光ダイオードＬＥＤＸ１〜ＬＥＤＸＸは発光しない期間へ移行したとき、発光を所定時間持続することになる。そして、これら動作が繰り返し行われる。
【００１７】
交流電源Ｅの交流電圧が正の期間（ｔ１〜ｔ３）では、第２定電流回路７０や第２充電回路３０はダイオードＤ１３,Ｄ１１により動作しない。このため、第２発光体１２の第２発光ダイオードＬＥＤＹ１〜ＬＥＤＹＹに電流が流れることがなく、第２発光ダイオードＬＥＤＹ１〜ＬＥＤＹＹは発光しない。
【００１８】
時点ｔ３（ゼロクロス点）から時点ｔ４までの期間では交流電圧が負になって負の電圧が上昇していく。この期間（時点ｔ３〜ｔ４）では、第２定電流回路７０のダイオードＤ１３により、第２発光体１２の第２発光ダイオードＬＥＤＹ１〜ＬＥＤＹＹに電流が流れていき、第２発光ダイオードＬＥＤＹ１〜ＬＥＤＹＹが発光していく。
【００１９】
時点ｔ３〜ｔ４の期間では、負の電圧が上昇していくことにより、第２充電回路３０のダイオードＤ１１により第２コンデンサＣ１１が充電されていき、この充電とともに第２コンデンサＣ１１のプラス端子の電圧が上昇していく。
【００２０】
負の交流電圧が時点ｔ４から減少していき、第２発光体１２の第２発光ダイオードＬＥＤＹ１のアノードの電圧が第２コンデンサＣ１１のプラス端子の負の電圧より低下（小さな負）すると、第２放電回路５０が動作を開始する。すなわち、第２放電回路５０のダイオードＤ１２により、第２コンデンサＣ１１に充電された電流が放電されて第２発光体１２の第２発光ダイオードＬＥＤＹ１〜ＬＥＤＹＹへ流れていく。
【００２１】
第２コンデンサＣ１１のプラス端子の負の電圧は、図２の（Ｂ）の実線で示すようにその放電とともに減少していく。この減少度合いは、第２放電回路４０の抵抗Ｒ３と第２コンデンサＣ１１の容量とによる時定数で決定され、交流電圧がゼロになっても高い負の電圧となるように予め設定しておく。これにより、交流電源Ｅの交流電圧がゼロ（ゼロクロス点）になっても第２発光体１１の第２発光ダイオードＬＥＤＹ１〜ＬＥＤＹＹは発光し続けることになる。
【００２２】
すなわち、時点ｔ５で交流電源Ｅの交流電圧がゼロ(ゼロクロス点)になるが、第２発光ダイオードＬＥＤＹ１〜ＬＥＤＹＹは発光し続ける。また、時点ｔ５〜時点ｔ７の期間では交流電圧は正になるが、この期間（ｔ５〜ｔ７）の間、第２放電回路５０により第２コンデンサＣ１１が放電し続け、第２発光ダイオードＬＥＤＹ１〜ＬＥＤＹＹに電流が流れ続ける。このため、その期間中第２発光ダイオードＬＥＤＹ１〜ＬＥＤＹＹは発光し続ける。
【００２３】
すなわち、第２発光ダイオードＬＥＤY１〜ＬＥＤＹＹは、発光しない期間へ移行したとき、発光を所定時間持続することになる。そして、これら動作が繰り返し行われる。
【００２４】
図２の（Ｃ）は、図２の（Ｂ）に示すグラフを反転させて図２の（Ａ）のグラフに合成したものである。この合成したグラフから分かるように、交流電圧のゼロクロス点（時点ｔ３,ｔ５,ｔ７…）で、第１,第２発光ダイオードＬＥＤＸ１〜ＬＥＤＸＸ,ＬＥＤＹ１〜ＬＥＤＹＹのどちらかが発光しているので、チラツキを防止することができる。
【００２５】
つまり、周波毎に発生するゼロクロス点の近傍の電圧の落ち込みによるチラツキを十分に防止することのできる。
【００２６】
また、第１,第２コンデンサＣ１,Ｃ１１を放電させて第１,第２発光体１１,１２の第１,第２発光ダイオードＬＥＤＸ１〜ＬＥＤＸＸ,ＬＥＤＹ１〜ＬＥＤＹＹを発光させているので、瞬時停電があっても発光しつづけることができる。さらに、第１,第２コンデンサＣ１,Ｃ１１の放電期間を長くすることにより、短時間の停電に対しても第１,第２発光体１１,１２の第１,第２発光ダイオードＬＥＤＸ１〜ＬＥＤＸＸ,ＬＥＤＹ１〜ＬＥＤＹＹを発光させ続けることができる。
【００２７】
このように、第１,第２発光体１１,１２だけで、チラツキを防止することができ、従来のように、第３発光体（第３ＬＥＤ回路）を設ける必要がない。しかも、第１,第２充電回路２０,３０や第１,第２放電回路４０,５０や第１,第２定電流回路６０,７０は、ダイオードと抵抗で構成しているだけなので、その回路は簡単なものであり、部品点数も少ないものとなっている。
【００２８】
上記実施例では、第１放電回路４０は、時点ｔ２から時点ｔ５まで放電するように設定されているが、これに限定されるものではなく、例えば、時点ｔ４または時点ｔ６まで放電するようにしてもよい。同様に、第２放電回路５０は、時点ｔ４から時点ｔ６または時点ｔ８まで放電するようにしてもよい。
【００２９】
上記実施例では、第１,第２発光体１１,１２は、複数の発光ダイオードＬＥＤＸ１〜ＬＥＤＸＸ,ＬＥＤＹ１〜ＬＥＤＹＹを直列接続して構成しているが、１つの発光体オードＬＥＤＸ１,ＬＥＤＹ１で構成してもよい。
【００３０】
この発明は、上記実施例に限られるものではなく、特許請求の範囲の発明の要旨を逸脱しない限り、設計の変更や追加等は許容される。
【符号の説明】
【００３１】
１０            照明装置
１１            第１発光体
１２            第２発光体
２０            第１充電回路
３０            第２充電回路
４０            第１放電回路
５０            第２放電回路
６０            第１定電流回路
７０            第２定電流回路
１００            発光持続手段
Ｃ１            第１コンデンサ
Ｃ１１          第２コンデンサ
ＬＥＤＸ１〜ＬＥＤＸＸ    第１発光ダイオード(第１発光体)
ＬＥＤＹ１〜ＬＥＤＹＹ    第２発光ダイオード(第２発光体)
【先行技術文献】
【特許文献】
【００３２】
【特許文献１】特表２０１２−５０４８６２号公報
【図１】
2016152097.tif 000003
【図２】
2016152097.tif 000004